(57)【要約】【課題】繰り返し使用しても、使用者が飽きにくいとともに、体の様々な部位に使用できて使い勝手のよい美容器を提供すること。【解決手段】美容器１は、ハンドル１２と回転可能な４個のローラー２７１、２７２とを備えている。４個のローラー２７１、２７２のうち２個のローラー２７１、２７２は、回転軸線３０３を中心としてハンドル１２に回転可能に支持されているローラーユニット２０に設けられている。そして、回転軸線３０３と、２個のローラー２７１、２７２の両重心Ｇ１、Ｇ２を通る仮想直線ＧＬとは、互いにねじれの位置にある。【選択図】図４
2017119076.tif 000002
【特許請求の範囲】
【請求項１】
回転可能な４個のローラーを備えた美容器であって、
ハンドルと、
該ハンドルに回転可能に支持されているローラーユニットと、
を備え、
上記ローラーユニットは、上記ローラーを２個備えているとともに、上記ローラーユニットにおける回転軸線と、上記２個のローラーの両重心を通る仮想直線とは、互いにねじれの位置にあるように構成されている、美容器。
【請求項２】
上記ローラーユニットは一対備えられている、請求項１に記載の美容器。
【請求項３】
上記一対のローラーユニットはいずれも、それぞれの先端に上記ローラーを回転可能に支持するとともに、先広がり状に設けられた一対のローラーシャフトを備えている、請求項２に記載の美容器。
【請求項４】
上記一対のローラーユニットにおける上記回転軸線は、互いに同一平面上に位置している、請求項２又は３に記載の美容器。
【請求項５】
上記一対のローラーユニットにおける上記回転軸線は、上記ハンドルから互いに先広がり状に延びている、請求項４に記載の美容器。
【請求項６】
上記一対のローラーユニットにおける上記回転軸線は、上記ハンドルから互いに同方向に平行に延びている、請求項４に記載の美容器。
【請求項７】
上記一対のローラーユニットにおける上記回転軸線は、互いに同一直線上に位置している、請求項４に記載の美容器。
【請求項８】
上記４個のローラーのうち、互いに異なる上記ローラーユニットに設けられた上記ローラーは、互いの可動軌跡が離間するように構成されている、請求項４に記載の美容器。
【発明の詳細な説明】
【技術分野】
【０００１】
本発明は、美容器に関する。
【背景技術】
【０００２】
従来、肌をローラーによって押圧等してマッサージ効果を奏する美容器が種々提案されている。このような美容器の例として、特許文献１には、４個のローラーを有する美容器が開示されている。４個のローラーはそれぞれ、本体の一方側へ放射状に延びる４つのシャフトの先端に回転可能に取り付けられており、平面視で仮想長方形の各頂点位置に位置している。そして、４個のローラーを肌面に当接させた状態で当該美容器を前進又は後進させると、進行方向前方に位置する一対のローラーによる肌の押し広げと、進行方向後方に位置する一対のローラーによる肌の摘み上げとの両作用が生じ、肌が揉みほぐされて高いマッサージ効果を奏する。
【先行技術文献】
【特許文献】
【０００３】
【特許文献１】特開２０１４−１６８６４２号公報
【発明の概要】
【発明が解決しようとする課題】
【０００４】
しかしながら、特許文献１に開示の構成では、４個のローラーにおける互いの位置関係が固定されているため、肌の押し広げや摘み上げに対する体感の変化が乏しく、繰り返し使用すると使用者は飽きやすいという問題がある。また、４個のローラーにおける互いの位置関係が固定されているため、湾曲する肌面にローラーを追従させるには、美容器を把持する手の手首を大きく捻ったりする必要があり、使い勝手の面で改善の余地がある。
【０００５】
本発明は、かかる背景に鑑みてなされたものであり、繰り返し使用しても、使用者が飽きにくいとともに、体の様々な部位に使用できて使い勝手のよい美容器を提供しようとするものである。
【課題を解決するための手段】
【０００６】
本発明の一態様は、回転可能な４個のローラーを備えた美容器であって、
ハンドルと、
該ハンドルに回転可能に支持されているローラーユニットと、
を備え、
上記ローラーユニットは、上記ローラーを２個備えているとともに、上記ローラーユニットにおける回転軸線と、上記２個のローラーの両重心を通る仮想直線とは、互いにねじれの位置にあるように構成されている、美容器にある。
【発明の効果】
【０００７】
上記美容器によれば、回転可能な４個のローラーが備えられており、ローラーユニットには２個のローラーが備えられている。ローラーユニットは、ローラーユニットの回転軸線を中心としてハンドルに回転可能に支持されている。そのため、４個のローラーのうち、当該ローラーユニットに設けられた２個のローラーは互いの位置関係が固定されているが、当該ローラーユニットに設けられた２個のローラーとその他の２個のローラーとの位置関係は、ローラーユニットの回転により可変となっている。そのため、揉みほぐしの態様が一様でなくなることから、繰り返し使用しても、使用者が飽きるのを抑制することができる。
【０００８】
さらに、また、４個のローラーは、当該ローラーユニットの回転により、その位置関係が可変となっているため、当該美容器を把持する手の手首を大きく捻らなくとも、湾曲する肌面にローラーを追従させやすくなり、使い勝手が向上する。これにより、当該美容器は、体の様々な部位に使用しやすくなっている。
【０００９】
例えば、従来の構成の美容器では、使用時において、ハンドルを右手で把持して左わき腹を施術する場合には、ローラーを肌面に当てるために、手首を大きく捻ってハンドルを肌面に対して立てた状態にしなければならない。しかしながら、上記一態様の美容器によれば、ハンドルを右手で把持して左わき腹に施術する場合であっても、ローラーユニットが回動することにより、手首を大きく捻ってハンドルを肌面に対して立てなくても、ローラーを肌面に当てて施術することができる。これにより、使い勝手が良くなっている。
【００１０】
以上のように、本発明は、繰り返し使用しても、使用者が飽きにくいとともに、体の様々な部位に使用できて使い勝手のよい美容器を提供することができる。
【図面の簡単な説明】
【００１１】
【図１】実施例１における、美容器の上面図。
【図２】実施例１における、美容器の側面図。
【図３】図１における、III-III位置一部断面側面図。
【図４】実施例１における、ローラーユニットの正面図。
【図５】実施例１における、ローラーユニットの分解斜視図。
【図６】図２における、VI-VI線位置断面図。
【図７】実施例１における、ローラーユニットのローラー及び上面カバーを外した状態の正面斜視図。
【図８】実施例１における、ローラーユニットシャフト及びワッシャの斜視図。
【図９】実施例２における、美容器の上面図。
【図１０】実施例２における、美容器の側面図。
【図１１】実施例２における、美容器の正面図。
【図１２】変形例１における、美容器の上面図。
【図１３】変形例２における、美容器の上面図。
【図１４】実施例３における、美容器の上面図。
【図１５】実施例３における美容器の、（ａ）第１使用モードを示す側面図、（ｂ）第２使用モードを示す側面図。
【図１６】実施例３における美容器の第３使用モードを示す底面図。
【図１７】変形例３における美容器の使用状態を示す底面図。
【図１８】実施例４における、美容器の上面図。
【図１９】実施例４における、美容器の正面図。
【図２０】実施例５における、美容器の上面図。
【図２１】変形例４における、美容器の上面図。
【発明を実施するための形態】
【００１２】
本明細書において、ローラーの重心とは、ローラーの幾何学的重心を意味するものである。
【００１３】
上記ローラーユニットは一対備えられていることが好ましい。この場合には、一対のローラーユニットがそれぞれハンドルに対して回転可能となっているため、４個のローラーが肌面に沿うように、互いの位置関係を変更させやすくなる。これにより、手首を捻って使用したり、ハンドルを大きく傾けることなく、体の様々な部位にローラーを使用する事ができ、ローラーの肌面への追従性が一層向上し、使用しやすくなっている。
【００１４】
上記ローラーユニットは、それぞれの先端に上記ローラーを回転可能に支持するとともに、先広がり状に設けられた一対のローラーシャフトを備えることが好ましい。この場合には、一対のローラーにおける互いの回転軸線が先広がり状となるため、一対のローラーによって肌面を摘み上げることができ、高いマッサージ効果を奏する。さらに、ローラーと肌面との密着性が一層高まるため、ローラーと肌面とが密着した状態が維持されるように、ローラーユニットがハンドルに対して回転しやすくなる。その結果、当該美容器を肌面に沿わせて動かしたときにおけるローラーの追従性が向上する。
【００１５】
上記一対のローラーユニットにおける上記回転軸線は、同一平面上に位置していることが好ましい。この場合は、一対のローラーユニットがそれぞれ、同一平面上に位置するローラーユニットにおける上記回転軸線を中心として回転するため、各ローラーを肌面に追従させやすくなる。また、ハンドルからの力が、各ローラーに伝達しやすくなり、ローラーを体に強く押し付ける事ができる。
【００１６】
上記一対のローラーユニットにおける上記回転軸線は、上記ハンドルから互いに先広がり状に延びていることが好ましい。この場合には、当該美容器を肌面に沿わせて動かしたとき、一対のローラーユニットのうち、進行方向前側のローラーユニットにおける２個のローラーで肌を押圧しつつ、進行方向後側のローラーユニットにおける２個のローラーで肌を摘み上げすることができる。これにより、一方向に動かすだけで肌の押圧と摘み上げの両作用が生じるため、肌を効果的に揉みほぐして高いマッサージ効果を奏する。
【００１７】
上記一対のローラーユニットにおける上記回転軸線は、上記ハンドルから同方向に平行に延びていることが好ましい。この場合には、各ローラーユニットはそれぞれの回転軸線周りに回転可能なため、ローラーがローラーユニットの回転軸線よりも進行方向前側に位置した状態及び進行方向後側に位置した状態のどちらでも使用することができる。そして、ローラーが進行方向前側に位置した状態では肌の押圧作用が得られ、ローラーが進行方向後側に位置した状態では肌の摘み上げ作用が得られる。したがって、使用者は、使用時に各ローラーユニットをそれぞれの回転軸線周りに回転させて両状態のいずれかを選択することにより押圧又は摘み上げを選択することができる。その結果、使用者の好みに適合した体感が得られやすくなる。また、ローラーユニットを回転させるだけで、両状態を容易に切り替えることができるため、使い勝手がよいとともに、使用者は繰り返し使用しても一層飽きにくくなる。
【００１８】
上記一対のローラーユニットにおける上記回転軸線は、同一直線上に位置していることが好ましい。この場合には、一方のローラーユニットと他方のローラーユニットとが互いに反対方向に向いている。これにより、当該美容器を、４個のローラーを肌面に沿わせて動かしたときに、肌面に合わせて一対のローラーユニットが別個に回転しやすいため、ローラーが肌面に一層追従しやすくなる。その結果、使用者は、各ローラーを肌面に当接させるために過度に手首を捻る必要がないことから、使い勝手が向上するとともに、使用者の体感も向上する。また、この場合にも、当該美容器を肌面に沿わせて動かしたとき、一対のローラーユニットのうち、進行方向前側のローラーユニットにおける２個のローラーで肌を押圧しつつ、進行方向後側のローラーユニットにおける２個のローラーで肌を摘み上げすることができる。これにより、一方向に動かすだけで肌の押圧と摘み上げの両作用が生じるため、肌を効果的に揉みほぐして高いマッサージ効果を奏する。
【００１９】
上記４個のローラーのうち、互いに異なる上記ローラーユニットに設けられた上記ローラーは、互いの可動軌跡が離間するように構成されていることが好ましい。この場合には、異なるローラーユニットの間で、隣り合うローラーが互いに接触することが防止される。その結果、隣り合うローラー間に肌が挟まれることを抑制できる。
【実施例】
【００２０】
（実施例１）
上記美容器の実施例について、以下に説明する。
実施例１における美容器１は、図１、図２に示すように、回転可能な４個のローラー２７１、２７２を備えた美容器である。そして、美容器１は、ハンドル１２と、ハンドル１２に回転可能に支持されているローラーユニット２０とを備えている。
図１に示すように、ローラーユニット２０は、ローラー２７１、２７２を２個備えているとともに、図２、図４に示すように、ローラーユニット２０の回転軸線３０３と、当該ローラーユニット２０に備えられた２個のローラー２７１、２７２の両重心Ｇ１、Ｇ２を通る仮想直線ＧＬとが、互いにねじれの位置にあるように構成されている。すなわち、回転軸線３０３と仮想直線ＧＬとは交わっていない。
【００２１】
以下、本例の美容器１について、詳述する。
図１、図２に示すように、美容器１は、略棒状のハンドル１２を備える。ハンドル１２は、図３に示すように、ベース体１３、第１カバー体１４及び第２カバー体１５を備える。ベース体１３の外周縁全体には、図示しないリング状のパッキンが一体化されて固着されている。そして、ベース体１３に第１カバー体１４及び第２カバー体１５が装着されて、当該パッキンが第１カバー体１４の開口内周縁に圧接されることにより、第１カバー体１４と第２カバー体１５との隙間からハンドル１２の内部に水が侵入することを防止している。これにより、ハンドル１２の内部のベース体１３に備えられた電装品に水が及ばないようにしている。
【００２２】
図１〜図４に示すように、ハンドル１２の長手方向Ｙの第１端側Ｙ１及び第２端側Ｙ２には、一対のローラーユニット２０１、２０２がそれぞれ設けられている。後述するように、一対のローラーユニット２０１、２０２は、ハンドル１２に対して回転可能に支持する回転支持部としてのローラーユニットシャフト３０により、ハンドル１２に回転可能に支持されている。
【００２３】
図１〜図４に示すように、一対のローラーユニット２０１、２０２は互いに同一の構造を有する。図４に示すように、第１端側Ｙ１の第１ローラーユニット２０１は、２個のローラー２７１、２７２を備える。ローラー２７１、２７２は、一対のローラーシャフト２１１、２１２の先端２１１ａ、２１２ａを覆う様にそれぞれ設けられている。
【００２４】
そして、図５、図６に示すように、一対のローラーシャフト２１１、２１２は、ユニットベース２３に形成された一対の円筒部２３１、２３２にそれぞれ挿通されている。一対のローラーシャフト２１１、２１２の基端２１１ｂ、２１２ｂは、円筒部２３１、２３２からそれぞれ露出している。一対のローラーシャフト２１１、２１２の基端２１１ｂ、２１２ｂには、縮径された括れ部２１３、２１４が設けられており、括れ部２１３、２１４のさらに基端側には、括れ部２１３、２１４よりも拡径された抜け止め頭部２１５、２１６が形成されている。そして、一対のローラーシャフト２１１、２１２は、基端２１１ｂ、２１２ｂから先端２１１ａ、２１２ａに向かうほど互いに離れるように、先広がり状に設けられている。
【００２５】
図７に示すように、ユニットベース２３には、一対の円筒部２３１、２３２の間にシャフトホルダー２２が配置されている。シャフトホルダー２２の両端部には、図５、図６に示すように一対のローラーシャフト２１１、２１２の括れ部２１３、２１４を押さえるための半円筒状の押さえ部２２１、２２２が形成されている。そして、図６に示すように、シャフトホルダー２２は、シャフトホルダー２２の押さえ部２２ａにより両一対のローラーシャフト２１１、２１２の括れ部２１３、２１４が押さえられた状態で、ネジ２２４（図５参照）によりユニットベース２３及び後述の後側ユニットカバー２４２に固定されている。これにより、各一対のローラーシャフト２１１、２１２は、ユニットベース２３の支持筒２３１、２３２に嵌合した状態で支持されており、抜け止めされている。そして、図５に示すように、ユニットベース２３は、前側ユニットカバー２４１、後側ユニットカバー２４２に覆われている。前側ユニットカバー２４１、後側ユニットカバー２４２には、それぞれ半円筒状の支持筒カバー部２４１ａ、２４１ｂ、２４２ａ、２４２ｂが形成されており、一対の支持筒２３１、２３２を覆っている。
【００２６】
図５、図６に示すように、支持筒カバー部２４１ａ、２４１ｂ、２４２ａ、２４２ｂには、合成樹脂よりなる円筒状のキャップ２５が嵌着されている。キャップ２５より、支持筒カバー部２４１ａ、２４１ｂ、２４２ａ、２４２ｂ及び支持筒２３１、２３２がシールされるとともに、ローラーシャフト２１１、２１２のガタツキが防止されている。また、キャップ２４によって、ローラーユニット２０と後述するローラー２７１、２７２の外表面との間の電気絶縁性が確保されている。
【００２７】
図５に示すように、ローラーシャフト２１１、２１２には、ベアリング４０が取り付けられている。ベアリング４０は合成樹脂よりなり、円筒状をなしている。ベアリング４０は、図５、図６に示すように、その内側にローラーシャフト２１１、２１２が挿通されるとともに、ローラーシャフト２１１、２１２の先端２１１ａ、２１２ａ、に取り付けられたストップリング２５によりベアリングスペーサ４２を介して抜け止め固定されている。ベアリング４０の表裏両面を含む外側全面には金属メッキが施され、ベアリング４０とローラーシャフト２１１、２１２との間の導電が確保されている。また、金属メッキに代えて、ベアリング４０を導電性樹脂によって構成することにより両者の導電を確保してもよい。
【００２８】
図５、図６に示すように、ベアリング４０の外周面には、係止爪４３が径方向外方に突出形成されている。係止爪４３には、後述するローラー２７１、２７２の段差部２８１が係合する。また、ベアリング４０の端部には、径方向外方Ｙ１に拡径してなる拡径部４４が形成されている。そして、係止爪４３と拡径部４４との間に段差部２８１が位置している。段差部２８１は、係止爪４３及び拡径部４４に当接して、両者に挟持されている。これにより、ローラー２７１、２７２はローラーシャフト２１１、２１２に対する位置決めがなされるとともに、ローラー２７１、２７２のガタツキが低減されている。
【００２９】
図５、図６に示すように、ローラー２７１、２７２は、ローラーシャフト２１１、２１２に設けられたベアリング４０を介して、ローラーシャフト２１１、２１２にベアリング４０とともに回転可能に支持されている。図６に示すように、ローラー２７１、２７２は、合成樹脂よりなる芯材２６１と、芯材２６１の先端内周に嵌着された合成樹脂よりなるキャップ材２６２と、芯材２６１及びキャップ材２６２の外周に被覆成形された合成樹脂よりなる外被材２６３とから構成されている。外被材２６３の外表面には、導電部としての導電金属メッキが施され、ベアリング４０との間の導電が確保されている。そして、図５に示すように、ローラ２７１、２７２の外周面には、多数の三角形の平面が連続的に形成されたいわゆるダイヤカットが施されている。図６に示すように、芯材２６１の内側には、ベアリング４０が挿入配置される空間２８２が形成されている。そして、空間２８２の内壁面には、係止爪４３に係合可能な段差部２８１が形成されている。空間２８２にベアリング４０が挿入配置されて、係止爪４３が段差部２８１に係合されることにより、ローラー２７１、２７２がベアリング４０に対して抜け止めされている。
【００３０】
図７に示すように、一対のローラーユニット２０１、２０２には、ローラーユニットシャフト３０が接続されるためのシャフト取付部２３３が形成されている。ローラーユニットシャフト３０は略棒状を成しており、本例におけるローラーユニット２０の回転軸線３０３を規定している。シャフト取付部２３３は、略円筒状を成しており、その内側にローラーユニットシャフト３０の先端３０１が挿通される。図８に示すように、ローラーユニットシャフト３０の先端３０１には、外周面にはねじ切りが施された雄ネジ部３０５が形成されている。雄ネジ部３０５の基端側Ｐ２には、ローラーユニットシャフト３０の外周面を縮径すると共に一部を切り欠いてＤ字型部３０４が形成されている。
【００３１】
そして、図５、図７に示すように、ローラーユニットシャフト３０がシャフト取付部２３３に挿通されて、雄ネジ部３０５及びＤ字型部３０４はシャフト取付部２３３から突出するとともに、ワッシャ３１及びナット３２が取り付けられている。図５、図８に示すように、ワッシャ３１は内側形状がＤ字型部３０４に沿うＤ字型を成しているとともに、ワッシャ３１の厚さとＤ字型部３０４の高さが略同一となっている。これにより、ローラーユニットシャフト３０がシャフト取付部２３３に回転可能に抜け止め固定されている。そして、ワッシャ３１の内側形状がＤ字型部３０４に沿うＤ字型を成していることにより、ローラー２７１、２７２を回転させても、これに伴ってワッシャ３１が回転しない。そのため、ローラー２７１、２７２の回転力がナット３２に伝わらないことから、ローラー２７１、２７２の回転に伴うナット３２の緩みが防止される。さらに、図３に示すように、ローラーユニットシャフト３０の先端面３０１ａには、シャフトホルダー２２に形成された凸片２２３が当接している。これにより、ローラーユニットシャフト３０とシャフトホルダー２２の導電が確保されている。
【００３２】
図３に示すように、ローラーユニットシャフト３０の基端３０２にはネジ孔３０２ａが形成されている。ハンドル１２の先端１２ａの内部におけるベース体１３には、内面がローラーユニットシャフト３０の基端３０２の側面に沿った形状を有する筒状のローラーユニットシャフト取り付け部１２１が形成されている。そして、ローラーユニットシャフト３０の基端３０２がローラーユニットシャフト取り付け部１２１の内側に位置した状態で、ネジ１２２がネジ孔３０２ａに螺入されることにより、ローラーユニットシャフト３０がローラーユニットシャフト取り付け部１２１にねじ止め固定されている。すなわち、ローラーユニットシャフト３０の先端３０１側はローラーユニット２０に接続され、ローラーユニットシャフト３０の基端３０２側はハンドル１２の先端１２ａに接続されている。このようにして、ローラーユニット２０は、ハンドル１２の先端１２ａに回転可能に取り付けられている。そして、図８に示すように、ローラーユニットシャフト３０の基端３０２には、基端３０２の側面の一部を切り欠いた切り欠き面３０２ｂが形成されている。これにより、ローラーユニットシャフト３０の基端３０２が、ローラーユニットシャフト取り付け部１２１内で回転することが防止され、ネジ１２２の緩みが防止されている。
【００３３】
そして、図３、図５に示すように、ローラーユニットシャフト３０には、ねじりバネであるバネ３３が挿通されている。図３に示すように、バネ３３の一方の端部である第１端部３３１は、ユニットベース２３に形成された第１バネ係合部２３４に係合している。一方、バネ３３の他方の端部である第２端部３３２は、ハンドル１２の先端１２ａの内部におけるベース体１３に形成された第２バネ係合部１２５に係合している。これにより、ローラーユニット２０１、２０２が所定の初期位置に戻るように付勢されている。本例では、一対のローラーユニット２０１、２０２は、当該所定の初期位置を基準に−９０°〜９０°の範囲で回転することができる。そして、図２に示すように、第１ローラーユニット２０１における可動軌跡Ｒ１と、第２ローラーユニット２０２における可動軌跡Ｒ２とが離間している。これにより、互いの可動範囲が重なり合わない。
【００３４】
図２に示すように、ローラーユニットシャフト３０は、側面視においてハンドル１２の長手方向Ｙにおける軸線ＹＬに対して同じ側に位置しており、ローラーユニットシャフト３０の基端３０２から先端３０１に向かうにしたがってハンドル１２の長手方向Ｙの先端側Ｙ１に向かうように、ハンドル１２の長手方向Ｙに対して傾斜している。本例では、ローラーユニットシャフト３０の回転軸線３０３とハンドル１２の長手方向Ｙにおける軸線ＹＬとのなす角αは、１２５°となっている。
【００３５】
そして、図１に示すように、一対のローラーユニット２０１、２０２は、それぞれのローラーユニットシャフト３０の回転軸線３０３が同一平面Ｓ１上に位置するように、ハンドル１２の中心を通る仮想直線Ｌ１を基準に対称に配置されている。図２に示すように、一対のローラーユニットシャフト３０は、互いの回転軸線３０３はそれぞれ、基端３０２から先端３０１と反対側に延伸した部分で互いに交差している。これにより、一対のローラーユニットシャフト３０は、基端３０２から先端３０１に向かうほど互いに離れるように、先広がり状に設けられている。本例では、それぞれの回転軸線３０３が同一平面Ｓ１上におけるなす角γは１２０°となっている。
【００３６】
図６に示すように、一対のローラーシャフト２１１、２１２は同一平面Ｓ２（図２参照）上に位置している。そして、図２に示すように、ローラーシャフト２１１、２１２は、ローラーユニットシャフト３０の回転軸線３０３に対して傾斜している。図６に示すように、一対のローラーシャフト２１１、２１２が先広がり状となるようにシャフトホルダー２２に保持されている。本例では、同一平面上における一対のローラーシャフト２１１、２１２の軸線２１１ｃ、２１２ｃのなす角βは８０°となっている。
【００３７】
図４に示すように、ローラーユニットシャフト３０の回転軸線３０３の方向Ｐから見て、ローラーユニットシャフト３０の回転軸線３０３が、一対のローラー２７１、２７２の重心Ｇ１、Ｇ２を通る仮想直線ＧＬから離れた位置にある。すなわち、回転軸線３０３と、仮想直線ＧＬとが、互いにねじれの位置にある。図２、図６に示すように、一対のローラーユニット２０１、２０２に備えられる４個のローラー２７１、２７２の重心Ｇ１、Ｇ２（図１参照）は、同一平面上に位置することができるように構成されている。
【００３８】
図１に示すように、ハンドル１２の上面には、第１カバー体１４に透孔５１が形成されている。透孔５１には、透明な合成樹脂よりなる受光レンズ５２が図示しないシール材を介して嵌着されている。受光レンズ５２の内側（ハンドル１２の内部）において、ベース体１３に図示しない太陽電池パネルが配置されている。当該太陽電池パネルのプラス、マイナスの出力端子は、ハンドル１２の外表面の導電部及びローラーユニットシャフト３０に接続されている。ローラーユニットシャフト３０からローラー２７１、２７２への導通は、シャフトホルダー２２、ローラーシャフト２１１、２１２、ベアリング４０を介して行われている。ハンドル１２とローラー２７１、２７２が肌面６０に触れた際に閉回路が形成され、人体へ微弱電流が流れる。それにより、人体の細胞が刺激され、活性化し美容効果が得られる。シール材はハンドル１２内への水の侵入を防止している。
【００３９】
図３に示すように、本例の美容器１は、ハンドル１２を把持してローラー２７１（２７２）を肌面６０に当接させた状態で、ハンドル１２の長手方向Ｙに移動させて使用する。そして、肌面６０におけるローラー２７１との接触領域の中心位置６１とローラーユニットシャフト３０の回転軸線３０３と肌面６０との交点位置６２との距離がトレール長ＴＬとなる。
【００４０】
次に、本実施例の美容器１における作用効果について、詳述する。
本例の美容器１によれば、回転可能な４個のローラー２７１、２７２が備えられており、そのうち２個のローラー２７１（２０２）が設けられたローラーユニット２０１（２０２）は、回転軸線３０３を中心としてハンドル１２に回転可能に支持されている。そのため、４個のローラー２７１、２７２のうち、同一のローラーユニット２０１（２０２）に設けられた一対のローラー２７１、２７２は互いの位置関係が固定されているが、当該一対のローラー２７１、２７２とその他のローラー（異なるローラーユニット２０２（２０１）におけるローラー２７１、２７２）との位置関係は、ローラーユニット２０１（２０２）の回転により可変となっている。そのため、揉みほぐしの態様が一様でなくなることから、繰り返し使用しても、使用者が飽きるのを抑制することができる。
【００４１】
さらに、４個のローラー２７１、２７２は、当該ローラーユニット２０１（２０２）の回転により、異なるローラーユニット２０１、２０２間において、その位置関係が可変となっているため、美容器１を把持する手の手首を大きく捻らなくとも、湾曲する肌面６０にローラー２７１、２７２を追従させやすくなり、使い勝手が向上する。これにより、当該美容器は、体の様々な部位に使用しやすくなっている。
【００４２】
例えば、従来の構成の美容器では、使用時において、ハンドルを右手で把持して左わき腹を施術する場合には、ローラーを肌面に当てるために、手首を大きく捻ってハンドルを肌面に対して立てた状態にしなければならない。しかしながら、本例の美容器１によれば、ハンドル１２を右手で把持して左わき腹に施術する場合であっても、ローラーユニット２０１、２０２が回動することにより、手首を大きく捻ってハンドル１２を肌面６０に対して立てなくても、ローラー２７１、２７２を肌面６０に当てて施術することができる。これにより、使い勝手が良くなっている。
【００４３】
また、本例では、ローラーユニット２０１、２０２は一対備えられている。これにより、一対のローラーユニット２０１、２０２がそれぞれハンドル１２に対して回転可能となっているため、４個のローラー２７１、２７２が肌面６０に沿うように、互いの位置関係を変更させやすくなる。これにより、手首を捻って使用したり、ハンドル１２を大きく傾けることなく、体の様々な部位にローラー２７１、２７２を使用する事ができ、ローラー２７１、２７２の肌面６０への追従性を一層向上することができ、体の様々な部位に一層使用しやすくなっている。
【００４４】
また、本例では、ローラーユニット２０１、２０２は、それぞれの先端２１１ａ、２１２ａにローラー２７１、２７２を回転可能に支持するとともに、先広がり状に設けられた一対のローラーシャフト２１１、２１２を備える。これにより、ローラー２７１、２７２の回転軸線３０３が先広がり状に配置されるため、一対のローラー２７１、２７２の回転軸線３０３が進行方向に対して、前傾している際にはローラー２７１、２７２が肌面６０上で周囲の皮膚を下方に押し広げる様に回転することによって肌面６０を押圧することができ、後傾している際にはローラー２７１、２７２が肌面６０上で周囲の皮膚を上に持ち上げる様に巻き込むことによって肌面６０を摘み上げることができ、高いマッサージ効果を奏する。さらに、摘み上げの状態ではローラー２７１、２７２と肌面との密着性が一層高まるため、ローラー２７１、２７２と肌面６０とが密着した状態が維持されやすくなる。その結果、美容器１を肌面６０に沿わせて動かしたときにおけるローラー２７１、２７２の追従性が向上する。
【００４５】
また、本例では、一対のローラーユニット２０における回転軸線３０３は、同一平面Ｓ１上に位置している。これにより、一対のローラーユニット２０１、２０２がそれぞれ、同一平面Ｓ１上に位置する回転軸線３０３を中心として回転するため、各ローラー２７１、２７２を肌面６０に追従させやすくなる。
【００４６】
また、本例では、一対のローラーユニットにおける回転軸線３０３は、ハンドル１２から先広がり状に延びた状態で設けられている。すなわち、一対のローラーユニットシャフト３０は、ハンドル１２に接続される側の端部を基端３０２から、ローラーユニット２０１、２０２に接続される先端３０１に向かう程、互いに離れるように配置されている。これにより、美容器１を肌面６０に沿わせて動かしたとき、一対のローラーユニット２０１、２０２のうち、進行方向前側のローラーユニット２０１（２０２）における２個のローラー２７１、２７２で肌を押圧しつつ、進行方向後側のローラーユニット２０２（２０１）における２個のローラー２７１、２７２で肌を摘み上げすることができる。これにより、一方向に動かすだけで肌の押圧と摘み上げの両作用が生じるため、肌を効果的に揉みほぐして高いマッサージ効果を奏する。
【００４７】
また、本例では、４個のローラー２７１、２７２のうち、互いに異なるローラーユニット２０１、２０２に設けられたローラー２７１、２７２は、互いの可動軌跡Ｒ１、Ｒ２が離間するように構成されている。これにより、互いに異なるローラーユニット２０１、２０２の間で、隣り合うローラーが互いに接触することが防止される。その結果、互いに異なるローラーユニット２０１、２０２の間における隣り合うローラー間が不用意に狭まる事によって肌が挟まれることを抑制できる。更に、４個のローラー２７１、２７２が同時に肌に接している状態で、ハンドル１２をローラーユニットシャフト３０に対して回転させることにより、ハンドル１２に沿って各ローラーユニット２０１、２０２が押し出される。これにより、ローラーユニット２０１、２０２が回動して、互いに異なるローラーユニット２０１、２０２の間におけるローラーの間隔が変化する。そして、互いに異なるローラーユニット２０１、２０２の間における隣り合う一組のローラーの間隔が小さくなって互いに近づけば、もう一組のローラーの間隔は大きくなって互いに遠ざかるように動くこととなる。このように、互いに異なるローラーユニット２０１、２０２の間におけるローラーの間隔の変化を操作することにより、ローラーによる揉み動作を行うことができる。
【００４８】
また、本例では、４個のローラー２７１、２７２が、同時に同一平面Ｓ０上に接することが可能なように構成されている。これにより、４個のローラー２７１、２７２が確実に肌に接してマッサージ効果を奏することができる。
【００４９】
また、本例の美容器１によれば、回転軸線３０３の軸線方向Ｐから見て、回転軸線３０３からずれた位置にローラー２７１、２７２の重心Ｇ１、Ｇ２が位置することとなる。そして、４個のローラー２７１、２７２を肌面６０に当接させると、自然にトレール長ＴＬが大きい状態となる。そのため、ローラー２７１、２７２の直進安定性の向上が図られることから、ローラー２７１、２７２を様々な方向に面する肌面６０に沿わせて直進させやすい。これにより、使い勝手が良くなるとともに、使用感が良好となる。
【００５０】
なお、本例では、一対のローラーユニット２０１、２０２は、完全に同一の構成を有する第１ローラーユニット２０１と第２ローラーユニット２０２とからなることとしたが、これに替えて、上記作用効果を奏する範囲で、完全には同一でないが互いに同等の構成と認識できる２個のローラーユニットからなることとしてもよい。例えば、ローラーユニット毎に、ローラー２７１、２７２の径が異なっていたり、ローラーシャフト２１１、２１２の長さが異なっていたりしてもよい。
【００５１】
なお、本例では、一対のローラーユニット２０１、２０２をハンドル１２に回転可能に支持する回転支持部としてローラーユニットシャフト３０を採用したが、回転支持部の構成はこれに限らず、公知の構成を採用することができ、例えば、下記の（１）〜（５）に示す変形例のようにしてもよい。
【００５２】
（１）一対のローラーユニット２０１、２０２にローラーユニットシャフト３０を固定し、ハンドル１２内部にて、ローラーユニットシャフト３０を回転可能に支持するようにしてもよい。
【００５３】
（２）外輪と、外輪の内側に同軸上に設けられた内輪と、両者の間に保持された複数の転動体とを有するラジアルボールベアリングを備え、外輪及び内輪の一方にハンドル１２を固定し、他方にローラーユニット２０を固定し、ローラーユニット２０がハンドル１２に回転可能に支持されるようにしてもよい。この場合は、外輪及び内輪の軸線が、ローラーユニット２０の回転軸線３０３となる。
【００５４】
（３）２枚の軌道板で複数の転動体を挟み込み、該転動体を介して軌道板が互いに回転可能に構成されたスラストボールベアリングを備え、２枚の軌道板の一方にハンドル１２を固定し、他方にローラーユニット２０を固定し、ローラーユニット２０がハンドル１２に回転可能に支持されるようにしてもよい。この場合は、各軌道板の回転中心を通る仮想線が、ローラーユニット２０の回転軸線３０３となる。
【００５５】
（４）ハンドル１２及びローラーユニット２０において、一方に筒状を成す外筒部を形成し、他方に当該外筒部の内径に沿った外径を有する内筒部を形成するとともに、外筒部の内側に内筒部を挿通して、内筒部が外筒部に対して同軸回転可能な滑り軸受を形成することにより、ローラーユニット２０がハンドル１２に回転可能に支持されるようにしてもよい。なお、内筒部は外筒部に挿通した状態で抜け止めされるように、例えば、内筒部の先端に外筒部の内壁に係合する係合部を設けたり、外筒部の先端に内筒部の外壁に係合する係合部を設けたりすることができる。この場合は、外筒部及び内筒部の軸線がローラーユニット２０の回転軸線３０３となる。
【００５６】
（５）ハンドル１２及びローラーユニット２０において、一方に棒状の基部と該基部の先端に基部よりも径の大きい球状部を有する球状突起を形成し、他方に該球状突起の外形に沿った凹形状を有す孔部を形成し、球状突起を孔部に嵌め込んで滑り軸受を形成することにより、ローラーユニット２０がハンドル１２に回転可能に支持されるようにしてもよい。この場合は、球状突起の基部の中心線がローラーユニット２０の回転軸線３０３となる。
【００５７】
以上のように、本例によれば、繰り返し使用しても、使用者が飽きにくいとともに、体の様々な部位に使用できて使い勝手のよい美容器１を提供することができる。
【００５８】
（実施例２）
実施例２における美容器１では、図９〜１１に示すように、一対のローラーユニット２０１、２０２はそれぞれ、ハンドル１２の長手方向Ｙにおける中央部１２ｃよりも第１端側Ｙ１であって、図１０に示すように、厚さ方向Ｚにおいて受光レンズ５２が設けられる側と反対側に設けられている。なお、実施例１と同等の構成には、同一の符号を付してその説明を省略する。
【００５９】
図９、図１０に示すように、それぞれのローラーユニット２０の回転軸線３０３が同一平面Ｓ１上に位置するように、ハンドル１２の中心を通る仮想直線Ｌ１を基準に対称に配置されている。そして、図１０、図１１に示すように、一対のローラーユニット２０１、２０２に備えられる４個のローラー２７１、２７２は、同時に同一平面Ｓ０に接することが可能なように構成されている。また、図１１に示すように、一対のローラーユニット２０１、２０２は、本例においても、回転軸線３０３は、基端３０２から先端３０１と反対側に位置する部分で互いに交差しており、互いのなす角γは１２０°となっている。本例では、図９に示すように、上面から見たとき、当該平面Ｓ１と仮想直線Ｌ１とは直交している。
【００６０】
本例では、図９、図１０に示すように、ハンドル１２は、中央部１２ｃが括れており、中央部１２ｃよりも第２端側Ｙ２の部分が把持しやすいように構成された把持部１２ｄを形成している。
【００６１】
本例の美容器１によれば、ハンドル１２の中央部１２ｃよりも第１端部Ｙ１側に一対のローラーユニット２０１、２０２が設けられており、ハンドル１２の中央部１２ｃよりも第２端部Ｙ２側に把持部１２ｄが形成されているため、把持部１２ｄを把持した状態で４個のローラー２７１、２７２を肌面６０に沿わせて動かしやすくなっており、操作性がよい。加えて、把持部１２ｄがローラーユニット２０１、２０２の間に位置していないことから、把持部１２ｄを把持可能にするためにローラーユニット２０１、２０２の間に使用者の手が入ることを考慮したりする必要がない。そのため、ローラーユニット２０１、２０２間の間隔を使用者の手の幅よりも狭めることができる。その結果、各ローラーの間隔を狭くでき、４個のローラー２７１、２７２による施術を肌面６０の狭い範囲に適用することが可能となる。なお、本例においても、実施例１の場合と同等の作用効果を奏する。
【００６２】
さらに、本例の美容器１によれば、図１０に示すように、４個のローラー２７１、２７２を肌面６０に当てた状態で、把持部１２ｄを把持した手首を厚さ方向Ｚの上面側Ｚ１に捻ることにより、美容器１を長手方向Ｙの第１端部側Ｙ１に傾けて、長手方向Ｙの第１端部側Ｙ１に位置するローラー２７１、２７２の間隔（図９参照）を狭くするとともに、長手方向Ｙの第２端部側Ｙ２に位置するローラー２７１、２７２の間隔を広くすることができる。一方、把持部１２ｄを把持した手首を厚さ方向Ｚの下面側Ｚ２に捻ることにより、美容器１を長手方向Ｙの第２端部側Ｙ２に傾けて、長手方向Ｙの第１端部側Ｙ１に位置するローラー２７１、２７２の間隔（図９参照）を広くするとともに、長手方向Ｙの第２端部側Ｙ２に位置するローラー２７１、２７２の間隔を狭くすることができる。従って、把持部１２ｄを把持した手首を厚さ方向Ｚの上面側Ｚ１に捻る動作と下面側Ｚ２に捻る動作とを繰り返し行うことにより、狭くなったローラー２７１、２７２の間の肌を摘まむとともに、広くなったローラー２７１、２７２の間の肌を押し広げることができ、肌を揉むようにマッサージすることができる。
【００６３】
なお、本例では、図９に示すように上面から見て、仮想直線Ｌ１と直交する平面Ｓ１上に、一対のローラーユニットシャフト３０の回転軸線３０３が位置するように構成したが、これに替えて、図１２に示す変形例１のようにしてもよい。すなわち、図１２に示すように、変形例１では、上面から見て、一対のローラーユニットシャフト３０の回転軸線３０３が互いに交差している。この場合には、一対のローラーユニット２０１、２０２において、長手方向Ｙの第１端部側Ｙ１に位置するローラー２７１、２７２の間で生じる押圧及び揉みほぐしの強さと、第２端部側Ｙ２に位置するローラー２７１、２７２の間で生じる押圧及び揉みほぐしの強さとが異なるため、使用者はそれぞれ異なる体感が得られ、マッサージ効果が一層高まるとともに、繰り返し使用しても飽きることが抑制される。
【００６４】
さらに、実施例２では、図９に示すように上面から見て、仮想直線Ｌ１と直交する平面Ｓ１上に、一対のローラーユニット２０の回転軸線３０３が位置するように構成したが、これに替えて、図１３に示す変形例２のようにしてもよい。変形例２では、図１３に示すように、上面から見て、仮想直線Ｌ１上に一対のローラーユニット２０の回転軸線３０３がそれぞれ位置するように構成されており、平面Ｓ１と仮想直線Ｌ１とが重なっている。
【００６５】
さらに、変形例２の美容器１によれば、４個のローラー２７１、２７２を肌面６０に当てた状態で、把持部１２ｄを把持した手首を短手方向Ｘの一方側Ｘ１に捻ることにより、美容器１を短手方向Ｘの一方側Ｘ１に傾けて、短手方向Ｘの一方側Ｘ１に位置するローラー２７１、２７２の間隔（図１３参照）を狭くするとともに、短手方向Ｘの他方側Ｘ２に位置するローラー２７１、２７２の間隔を広くすることができる。一方、把持部１２ｄを把持した手首を短手方向Ｘの他方側Ｘ２に捻ることにより、美容器１を短手方向Ｘの他方側Ｘ２に傾けて、短手方向Ｘの一方側Ｘ１に位置するローラー２７１、２７２の間隔（図１３参照）を広くするとともに、短手方向Ｘの他方側Ｘ２に位置するローラー２７１、２７２の間隔を狭くすることができる。従って、把持部１２ｄを把持した手首を短手方向Ｘの一方側Ｘ１に捻る動作と他方側Ｘ２に捻る動作とを繰り返し行うことにより、狭くなったローラー２７１、２７２の間の肌を摘まむとともに、広くなったローラー２７１、２７２の間の肌を押し広げることができ、肌を揉むようにマッサージすることができる。そして、変形例２におけるかかる使用態様では、短手方向Ｘに当該捻る動作を行うため、実施例２の場合における長手方向Ｙに捻る動作を行う場合に比べて、捻る動作を行うことに伴う腕の動作を小さくすることができる。これにより、小さな動作で、上記マッサージをすることができる。その他、変形例２においても実施例２の場合と同等の作用効果が奏される。
【００６６】
（実施例３）
本例の美容器１は、図１４、図１５（ａ）に示すように、ハンドル１２が円柱状を成している。そして、ハンドル１２の側周面には、長手方向Ｙの中央部１２ｃに受光レンズ５２が設けられており、長手方向Ｙの両端側Ｙ１、Ｙ２に一対のローラーユニット２０１、２０２が設けられている。一対のローラーユニット２０１、２０２は、厚さ方向Ｚにおいて、受光レンズ５２と反対側に設けられている。そして、図１５（ａ）に示すように、一対のローラーユニット２０１、２０２は、それぞれのローラーユニットシャフト３０において、基端３０２から先端３０１に向かう方向Ｐ１ａ、Ｐ１ｂが互いに同方向となっている。これにより、一対のローラーユニット２０１、２０２は、それぞれの回転軸線３０３がハンドル１２から互いに同方向に平行に延びた状態で設けられている。また、一対のローラーユニット２０における回転軸線３０３は長手方向Ｙに垂直となっている。なお、実施例１と同等の構成には同一の符号を付してその説明を省略する。
【００６７】
本例では、一対のローラーユニット２０１、２０２はいずれも、それぞれの回転軸線３０３を中心として自由回転可能となっており、その回転範囲に制限が設けられておらず、少なくとも３６０°回転可能に構成されている。これにより、ローラーユニット２０１、２０２を少なくとも１回転以上まわすことができ、使い勝手が一層向上する。なお、図１４に示すように、本例の場合も、一対のローラーユニット２０１、２０２におけるローラー２７１、２７２の可動軌跡Ｒ１、Ｒ２は、離隔しており、互いに重なっていない。
【００６８】
本例の美容器１によれば、一対のローラーユニット２０における回転軸線３０３は、ハンドル１２から互いに同方向に平行に延びている。そして、各ローラーユニット２０１、２０２はそれぞれの回転軸線３０３周りに回転可能なため、ローラー２７１、２７２がローラーユニットシャフト３０よりも進行方向前側に位置した状態、及び進行方向後側に位置した状態のどちらでも使用することができる。そして、ローラー２７１、２７２が進行方向前側に位置した状態では肌の押圧作用が得られ、ローラー２７１、２７２が進行方向後側に位置した状態では肌の摘み上げ作用が得られる。したがって、使用者は、使用時に各ローラーユニット２０１、２０２をそれぞれの回転軸線３０３周りに回転させて両状態のいずれかを選択することにより押圧又は摘み上げを選択することができる。その結果、使用者の好みに適合した体感が得られやすくなる。また、ローラーユニット２０１、２０２を回転させるだけで、両状態とを容易に切り替えることができるため、使い勝手がよいとともに、使用者は繰り返し使用しても一層飽きにくくなる。
【００６９】
本例の美容器１によれば、使用者は、各ローラーユニット２０１、２０２の向きを変えることにより、図１５（ａ）に示す第１使用モード、図１５（ｂ）に示す第２使用モード、及び図１６に示す第３使用モードから任意の使用モードを選択することができる。
【００７０】
第１使用モードでは、図１５（ａ）に示すように、第１ローラーユニット２０１に備えられた一対のローラー２７１、２７２が、第１ローラーユニット２０１の回転軸線３０３よりも第１端部側Ｙ１に位置するとともに、第２ローラーユニット２０２に備えられた一対のローラー２７１、２７２が第２ローラーユニット２０２の回転軸線３０３よりも第２端部側Ｙ２に位置している。この場合には、美容器１を肌面に沿わせて、第１端部側Ｙ１又は第２端部側Ｙ２に動かすことにより、進行方向前側の一対のローラー２７１、２７２により肌を押圧し、進行方向後側の一対のローラー２７１、２７２により肌を摘み上げることができる。
【００７１】
なお、図示しないが、第１ローラーユニット２０１に備えられた一対のローラー２７１、２７２が、第１ローラーユニット２０１の回転軸線３０３よりも第２端部側Ｙ２に位置するとともに、第２ローラーユニット２０２に備えられた一対のローラー２７１、２７２が第２ローラーユニット２０２の回転軸線３０３よりも第１端部側Ｙ１に位置している場合も、第１使用モードと同様である。
【００７２】
第２使用モードでは、図１５（ｂ）に示すように、第１ローラーユニット２０１及び第２ローラーユニット２０２において、それぞれに備えられた一対のローラー２７１、２７２が、それぞれの回転軸線３０３よりも第１端部側Ｙ１に位置している。この場合には、美容器１を肌面に沿わせて、第１端部側Ｙ１に動かすことによって一対のローラーユニット２０１、２０２の両方におけるローラー２７１、２７２により肌を押圧し、第２端部側Ｙ２に動かすことによって一対のローラーユニット２０１、２０２の両方におけるローラー２７１、２７２により肌を摘み上げることができる。
【００７３】
なお、図示しないが、第１ローラーユニット２０１及び第２ローラーユニット２０２において、それぞれに備えられた一対のローラー２７１、２７２が、それぞれの回転軸線３０３よりも第２端部側Ｙ２に位置している状態では、美容器１を肌面に沿わせて、第１端部側Ｙ１に動かすことによって一対のローラーユニット２０１、２０２の両方におけるローラー２７１、２７２により肌を摘み上げ、第２端部側Ｙ２に動かすことによって一対のローラーユニット２０１、２０２の両方におけるローラー２７１、２７２により肌を押圧することができる。
【００７４】
第３使用モードでは、図１６に示すように、一対のローラーユニット２０１、２０２において、厚さ方向Ｚから見て、ローラー２７１、２７２の重心Ｇ１、Ｇ２が回転軸線３０３よりも肌面６０に近い位置する状態で、４個のローラー２７１、２７２が肌面６０に当接している。この場合は、４個のローラー２７１、２７２で肌面６０を抱え込むような状態となっている。この時、ローラーユニット２０１、２０２に設けられた一対のローラー２７１、２７２のうち、一方のローラーが肌面６０から反力を受けて、ローラーユニット２０１、２０２を回動させようとすると、もう一方のローラーが肌に当たる方向に回動しようとする。その結果、ローラー２７１、２７２と肌面６０との密着度が向上する。そして、４個のローラー２７１、２７２を肌面６０に沿わせて、美容器１を厚さ方向Ｚにおける上面側Ｚ１（図１６の紙面奥側）に動かすことによって、一対のローラーユニット２０１、２０２の両方におけるローラー２７１、２７２により肌を摘み上げ、厚さ方向Ｚにおける下面側Ｚ２（図１６の紙面手前側）に動かすことによって一対のローラーユニット２０１、２０２の両方におけるローラー２７１、２７２により肌を押圧することができる。なお、第３使用モードは、曲率が比較的大きい肌面６０に特に有効である。第３使用モードにおいて、肌面６０への押圧のみを目的として、４個のローラー２７１、２７２が肌面６０に当接した状態でローラー２７１、２７２の回転をロックして使用しても良い。
【００７５】
なお、ローラー２７１、２７２は、図１７に示す変形例３のように略円柱状としてもよい。この場合も本例と同等の作用効果を奏する。特に、図１７に示すように、上述の第３使用モードを選択して、４個のローラー２７１、２７２が肌面６０を抱え込む状態で使用する場合には、当該ローラー２７１、２７２が略円柱状となっていることにより、ローラー２７１、２７２と肌面６０との接触面積が一層大きくなり、肌の広い範囲に対して押し流し効果が得られる。
【００７６】
（実施例４）
上記実施例３では、図１４に示すように、一対のローラーユニット２０１、２０２は、ハンドル１２の両端側Ｙ１、Ｙ２の側周面に設けられていたが、本例の美容器１は、図１８、図１９に示すように、一対のローラーユニット２０１、２０２は、ハンドル１２の第１端部側Ｙ１の側周面にそれぞれ設けられている。そして、一対のローラーユニットシャフト３０は、同一直線Ｌ２上に位置している。
【００７７】
本例の美容器１によれば、図１８、図１９に示すように、一対のローラーユニット２０における回転軸線３０３は、同一直線Ｌ２上に位置しており、一対のローラーユニット２０１、２０２は互いに反対方向に向いている。これにより、美容器１を、４個のローラー２７１、２７２を肌面６０に沿わせて動かしたときに、肌面６０に合わせて一対のローラーユニット２０１、２０２が別個に回転しやすいため、ローラー２７１、２７２が肌面６０に一層追従しやすくなる。その結果、使用者は、各ローラー２７１、２７２が肌面６０に当接させるために過度に手首を捻る必要がないことから、使い勝手が向上するとともに、使用者の体感も向上する。また、この場合にも、当該美容器１を肌面に沿わせて動かしたとき、一対のローラーユニット２０１、２０２のうち、進行方向前側のローラーユニット２０１（２０２）における２個のローラー２７１、２７２で肌を押圧しつつ、進行方向後側のローラーユニット２０２（２０１）における２個のローラー２７１、２７２で肌を摘み上げすることができる。これにより、一方向に動かすだけで肌の押圧と摘み上げの両作用が生じるため、肌を効果的に揉みほぐして高いマッサージ効果を奏する。
【００７８】
また、本例の美容器１によれば、一対のローラーユニット２０における回転軸線３０３が同一直線Ｌ２上に位置しており、回転軸線３０３は、長手方向Ｙに垂直となっている。これにより、本例の美容器１を肌面に沿わせて動かす際に、長手方向Ｙにおいて、美容器１の傾き度合いを変えても、一対のローラーユニットシャフト３０の肌面に対する角度は変わらず、各ローラー２７１、２７２の間隔も変わらない。そのため、様々な方向に面する肌面に使用する場合に、肌面に沿って安定して動かすことができ、肌面への追従性が一層高くなっている。
【００７９】
（実施例５）
本例の美容器１では、図２０に示すように、円柱状のハンドル１２の側周面において、第１端部側Ｙ１に第１ローラーユニット２０１が設けられ、第２端部側Ｙ２に第２ローラーユニット２０２が設けられる。そして、第１ローラーユニット２０１の回転軸線３０３と、第２ローラーユニット２０２の回転軸線３０３とは、互いにねじれの位置に位置している。
【００８０】
本例の美容器１によれば、図２０に示すように、一対のローラーユニット２０１、２０２は、互いに交差せず、平行でない回転軸線３０３を中心にそれぞれ回転するため、使用者は、一対のローラーユニット２０１、２０２のそれぞれによって異なる体感を得ることができる。これにより、繰り返し使用しても、飽きが生じにくい。
【００８１】
以下の（６）〜（１５）にその他の変形例を示す。
（６）上記実施例では、図６に示すように、ベアリング４０に設けられた係止爪４３をローラー２７１、２７２に設けられた段差部２８１に係合して両者を互いに固定したが、これに替えて、ローラー２７１、２７２に設けられた爪をベアリング４０に設けられた段差部に係合して両者を互いに固定してもよい。
（７）上記実施例では、ハンドル１２を手で把持し、手動で肌面６０に沿わせて動かして使用することを想定しているが、例えばマッサージチェアのような動力付きマッサージ器に上記実施例におけるハンドル１２を取り付けることにより、上記実施例の美容器１が自動的に肌面６０に沿って動くようにしても良い。
（８）ローラー２７１、２７２の形状は、球状、円筒状の他に楕円状、ラグビーボール状、２個の球が連なっただるま状、ひょうたん形状、円錐状等を採用しても良く、またその表面が回転可能な程度に凹凸を有してもよい。また、ローラー２７１、２７２の表面に複数のリブ状の突起又は複数の筋状の溝が形成されていても良い。
（９）肌に電気刺激を与える電源として、上記実施例では太陽電池を使用したが、これに替えて、乾電池等の電源を使用してもよい。
（１０）上記実施例では、使用者がハンドル１２を把持するとともにローラー２７１、２７２が肌面６０に当接することにより、人体を介してハンドル１２とローラー２７１、２７２が電気的に接続されて閉回路が形成されるように通電経路を設定したが、これに替えて各ローラー２７１、２７２が肌面６０に当接することにより、人体を介して任意のローラー２７１、２７２間に閉回路が形成されるように通電経路を設定してもよい。
（１１）上記実施例では、ローラーシャフト２１１、２１２はローラーユニット２０に固定されているとともに、ローラー２７１、２７２を回転可能に支持していることとしたが、これに替えて、ローラーシャフト２１１、２１２はローラーユニット２０に回転可能に支持されるとともに、ローラー２７１、２７２が固定されていてもよい。すなわち、ローラー２７１、２７２がローラーシャフト２１１、２１２と一体的に回転可能に設けられるようにしてもよい。
（１２）ローラーユニット２０１、２０２は、上記一対のローラー２７１、２７２とは別に、押圧用突起や回転可能な施術部を備えていてもよい。
（１３）ローラー２７１、２７２の可動軌跡Ｒ１、Ｒ２は、安全性が確保される場合には、重なっていても良い。
（１４）図２１に示す変形例４のように、４個のローラー２７１、２７２、２７１ａ、２７２ａのうち、２個のローラー２７１、２７２がローラーシャフト２１１、２１２を介してローラーユニット２０１に回転可能に支持され、残りの２個のローラー２７１ａ、２７２ａがローラーシャフト２１１ｓ、２１２ｓを介してハンドル１２の一方の先端１２ｂに固定されているようにしてもよい。なお、本例ではローラー２７１ａ、２７２ａは、ローラー２７１、２７２と同一の構成であり、ローラーシャフト２１１ｓ、２１２ｓはローラーシャフト２１１、２１２と同一の構成である。
（１５）ローラーユニット２０１、２０２は、ハンドル１２に対してラチェット機構による段階的な変位や、回転ロック機構を設けても良い。この場合、好みのローラー配置での継続的な使用が可能となる。
【符号の説明】
【００８２】
１  美容器
１２  ハンドル
２０  ローラーユニット
２７１、２７２、２７１ａ、２７２ａ  ローラー
２１１、２１２、２１１ｓ、２１２ｓ  ローラーシャフト
３０  ローラーユニットシャフト
３０３  回転軸線
Ｇ１、Ｇ２  重心
ＧＬ  仮想直線
【図１】
2017119076.tif 000003
【図２】
2017119076.tif 000004
【図３】
2017119076.tif 000005
【図４】
2017119076.tif 000006
【図５】
2017119076.tif 000007
【図６】
2017119076.tif 000008
【図７】
2017119076.tif 000009
【図８】
2017119076.tif 000010
【図９】
2017119076.tif 000011
【図１０】
2017119076.tif 000012
【図１１】
2017119076.tif 000013
【図１２】
2017119076.tif 000014
【図１３】
2017119076.tif 000015
【図１４】
2017119076.tif 000016
【図１５】
2017119076.tif 000017
【図１６】
2017119076.tif 000018
【図１７】
2017119076.tif 000019
【図１８】
2017119076.tif 000020
【図１９】
2017119076.tif 000021
【図２０】
2017119076.tif 000022
【図２１】
2017119076.tif 000023